(57)【要約】      （修正有）【課題】工具ホルダを、工具の挿入方向とは反対に操作することによってロック解除可能なセルフロック式とする。【解決手段】電動ドライバは、挿入方向１４にドライバビットを収容する収容スペース１２と、収容スペースに半径方向に凹設した長孔１８とを有するスピンドル１１と、長孔に位置し、長孔の被駆動側端部領域２１と長孔の駆動側端部領域２０との間を移動することができる遮断体１６と、半径方向に当接して収容スペースに遮断体を強制的に係合させ、ロック位置で長孔の被駆動側端部領域にオーバラップし、収容スペースとの係合が解除され、遮断体の半径方向移動が自由になるように、挿入方向とは反対にばね２２のばね力に抗して変位可能な半径方向ストッパ３１と、駆動側で遮断体に後方から係合し、遮断体により直接に挿入方向にばねのばね力に抗して長孔の駆動側端部領域とオーバラップした位置から変位可能なブラケット２３とを備える。【選択図】図２
2012245611.tif 000002
【特許請求の範囲】
【請求項１】
作動軸線（５）に沿って配向され、被駆動側が開かれ、挿入方向（１４）にドライバビットを収容するためのシリンダ状または角柱状の収容スペース（１２）と、半径方向に該収容スペース（１２）まで貫通する長孔（１８）とを有するスピンドル（１１）、
前記長孔（１８）に配置され、前記収容スペース（１２）に侵入しており、前記長孔（１８）の被駆動端（２１）側の領域と前記長孔（１８）の駆動端（２０）側の領域との間を移動することができる遮断体（１６）、
ロック位置で、前記長孔（１８）の被駆動端（２１）側の領域とオーバラップし前記遮断体（１６）を、半径方向に当接することにより前記収容スペース（１２）内に強制的に侵入させるとともに、前記遮断体（１６）が前記収容スペース（１２）内への侵入を解除されて自由に半径方向に移動ができるように、ばね（２２）のばね力に抗して挿入方向（１４）と反対の方向に向かって移動することのできる半径方向ストッパ（３１）、及び、
遮断体（１６）に駆動側で当接し、ばね（２２）のばね力に抗して、前記遮断体（１６）を介して間接的に、前記長孔（１８）の駆動端（２０）側の領域とオーバラップする位置から挿入方向（１４）に変位可能なブラケット（２３）
を備えることを特徴とする電動ドライバ。
【請求項２】
前記長孔（１８）の駆動端（２０）側の領域に中空スペース（２９）が半径方向に隣接しており、前記遮断体（１６）が、前記中空スペース（２９）に侵入して前記収容スペース（１２）を完全に離れることができる、請求項１に記載の電動ドライバ。
【請求項３】
前記ストッパ（３１）は、前記挿入方向（１４）とは反対に変位され、中空スペース（３２）を前記長孔（１８）の被駆動端（２１）の前記半径方向（１９）に隣接させて解放する、請求項１または２に記載の電動ドライバ。
【請求項４】
前記ばね（２２）が前記挿入方向（１４）に前記ブラケット（２３）で支持され、前記挿入方向（１４）とは反対方向に、前記ストッパ（３１）に接続したリング（３０）によって支持されている、請求項１から４までのいずれか一項に記載の電動ドライバ。
【請求項５】
前記ブラケット（２３）が、前記スピンドル（１１）を包囲し、前記作動軸線（５）に沿って可動な、長孔（２５）を有するスリーブ（２４）として構成されており、前記遮断体（１６）が前記長孔（２５）に侵入するようになっている、請求項１から４までのいずれか一項に記載の電動ドライバ。
【請求項６】
前記スピンドル（１１）、前記ブラケット（２３）および前記ばね（２２）を包囲する操作スリーブ（３３）が、半径方向内側に突出したリング（３０）を備え、該リングの内面が半径方向ストッパ（３１）を構成している、請求項１から５までのいずれか一項に記載の電動ドライバ。
【請求項７】
前記操作スリーブ（３３）が、前記リング（３０）と前記挿入方向（１４）に隣接し、少なくとも前記遮断体（１６）の前記収容スペース（１２）への侵入深さだけ、前記作動軸線（５）に対する半径方向間隔が、前記半径方向ストッパ（３１）に対してよりも大きい、請求項６に記載の電動ドライバ。
【発明の詳細な説明】
【技術分野】
【０００１】
本発明は、電動ドライバ、特に、工具の挿入方向とは反対に操作することによってロック解除可能なセルフロック式工具ホルダを有する電動ドライバに関する。
【発明の概要】
【０００２】
本発明による電動ドライバは、スピンドル、遮断体、軸線方向に変位可能な半径方向ストッパ、ばね、およびブラケットを有する。スピンドルは、作動軸線に沿って配向され、被駆動側が開放され、挿入方向にドライバビットを収容するためのシリンダ状または角柱状の収容スペースと、収容スペースに半径方向に収容スペースまで貫通する長孔とを有する。遮断体は長孔に配置され、収容スペースに侵入しており、長孔の被駆動端側の領域と長孔の駆動端側の領域との間を移動することができる。遮断体は、半径方向ストッパに半径方向に当接して収容スペース内に強制的に侵入させられている。半径方向ストッパは、ロック位置で長孔の被駆動端側の領域にオーバラップし、ばねのばね力に抗して、挿入方向とは反対に変位可能であり、これにより、遮断体は、収容スペースへの侵入が解除され半径方向移動が自由になる。ブラケットは遮断体に駆動側から当接し、遮断体を介して間接的に、ばねのばね力に抗して、長孔の駆動端側の領域とオーバラップした位置から挿入方向に変位可能である。長孔の駆動端側の領域に中空スペースが半径方向に隣接しており、遮断体は、中空スペースに進入して、収容スペースを完全に離れることができる。また、ストッパは、挿入方向とは反対に変位され、中空スペースを長孔の被駆動端に半径方向に隣接させて解放することができる。
【０００３】
ブラケットは、長孔の被駆動側またはその近傍の基本位置へ遮断体を押し込む。遮断体はこの基本位置ではストッパに規制されて半径方向に逃れることができず、収容スペース内に侵入することによって工具を遮断する。
【０００４】
工具の取外しは、挿入方向とは反対にストッパを変位させることによって得られ、これにより、遮断体はもはや半径方向に規制されなくなる。工具の挿入時には、ブラケットは遮断体と共にばね作用に抗して挿入方向に変位される。長孔の駆動端側の領域に到達すると、遮断体は半径方向に逃れることができ、工具のための収容スペースを解放することができる。
【０００５】
一構成では、ばねは挿入方向にブラケットで支持され、挿入方向とは反対方向に、ストッパに接続したリングによって支持されている。
【０００６】
一構成では、ブラケットは、スピンドルを包囲し、作動軸線に沿って可動であり、長孔を有するスリーブとして構成されており、遮断体は長孔に侵入する。
【０００７】
一構成では、スピンドル、ブラケットおよびばねを包囲する操作スリーブは、半径方向内側に突出したリングを備え、このリングの内面は半径方向ストッパを構成している。操作スリーブは、挿入方向にリングに隣接し、半径方向に、少なくとも収容スペースに係合する遮断体の係合深さだけ作動軸線に対して、半径方向ストッパに対してよりも大きい間隔を有している。
【０００８】
次に添付の図面に関して複数の実施例に基づき本発明を詳細に説明する。
【図面の簡単な説明】
【０００９】
【図１】電動ドライバを示す概略図である。
【図２】ロックされた工具を有する工具ホルダの縦断面図である。
【図３】工具挿入時の工具ホルダを示す縦断面図である
【図４】工具取外し際の工具ホルダを示す縦断面図である。
【発明を実施するための形態】
【００１０】
同じ、または機能が同じ素子には、他に指示しない限り図面に同じ符号を付す。
【００１１】
図１は、電動ドライバ１を概略的に示す。この電動ドライバ１は、ドライバビット３を収容するための工具ホルダ２を有する。電動ドライバ４は、動力伝達装置を介して工具ホルダ２に連結されており、作動時に作動軸線５を中心として回転駆動される。電動ドライバ１のケーシング６には、電動ドライバ１をガイドするためのグリップ７と、使用者が電動ドライバ１を作動するためのシステムスイッチ８とが設けられている。
【００１２】
図２、図３および図４は、挿入された工具３を有する工具ホルダ２、挿入時の工具ホルダ２、取外し時の工具ホルダ２の縦断面図をそれぞれ例示的に示す。工具ホルダ２は、特に市販のドライバビット３のために設計されており、工具ホルダ２の角柱シャフト９には環状溝１０が設けられている。
【００１３】
工具ホルダ２のスピンドル１１は、駆動側でモータ４に連結されており、モータ４は、作動軸線５を中心としてスピンドル１１を回転駆動することができる。スピンドル１１には被駆動側にシャフト９のための収容スペース１２が設けられている。収容スペース１２はシャフト９に対して相補的に、例えば角柱状に構成されており、スピンドル１１の被駆動側端１３は開口されている。使用者は、作動軸線５に沿って挿入方向１４に収容スペース１２に工具を挿入することができる。
【００１４】
工具ホルダ２には収容スペース１２で工具３をロックするためのセルフロック式ロック１５が設けられており、このロック１５は使用者の操作により解除可能である。工具３のロックは、溝１０にはまり込む遮断体１６によって行われる。遮断体１６は、図示のように、例えばボールによって構成されている。
【００１５】
スピンドル１１の中空領域の壁１７には長孔１８が設けられている。この長孔１８は収容スペース１２まで貫通している。遮断体１６は、外側から半径方向に長孔１８に挿入され、長孔１８を通って収容スペース１２に侵入する。長孔１８の横断面は、半径方向１９に作動軸線５に向けて徐々に狭くなっており、これにより、遮断体１６が収容スペース１２に落下することが防止される。遮断体１６は、作動軸線５に沿って長孔１８の駆動端２０側の領域から被駆動端２１側の領域まで移動させることができる。作動軸線５に沿った長孔１８の寸法は、遮断体１６の対応した寸法よりも大きい。例示的な長孔１８は、幅よりも長さが大きい。
【００１６】
遮断体１６は半径方向１９に外側に持ち上げることができ、これにより、収容スペース１２への侵入を解除することができる。持ち上げは、特にシャフト９によって行うことができる。
【００１７】
ばね２２は、挿入方向１４とは反対に長孔１８の被駆動端２１に向けて遮断体１６を間接的に押圧する。すなわち、ばね２２は、軸線方向に可動なブラケット２３に作用し、ブラケット２３は遮断体１６に駆動側から当接する。ブラケット２３は、例えば図示のようにスピンドル１１で支承されたスリーブ２４を備え、スリーブ２４には長孔２５が形成されている。スリーブ２４の長孔２５は、スピンドル１１の長孔１８と同形状であってもよい。遮断体１６は半径方向に長孔２５に侵入する。ブラケット２３の駆動側端部２６は、被駆動側すなわち、挿入方向１４とは反対に向く側で、遮断体１６に当接することができる。例示的なスリーブ２４は、被駆動側端部で半径方向外側に折り返されたカラー２８を備え、このカラー２８によってばね２２が支持される。ばね２２は、例えば、スリーブ２４を締め付けるコイルばねである。
【００１８】
工具３の挿入時に、遮断体１６は、工具３の端面によって長孔１８の内部で挿入方向１４に変位される（図３参照）。このとき、ブラケット２３は遮断体１６に連動され、ばね２２のばね力に抗して変位される。長孔１８の駆動端２０側の領域で、遮断体１６は半径方向１９に移動して中空スペース２９へ逃れる。遮断体１６は、少なくとも収容スペース１２に侵入しなくなるまで半径方向外側に逃れることができる。シャフト９は、溝１０が遮断体１６の軸方向位置に到達し溝１０に侵入して再び収容スペース１２に入り込むまで、遮断体１６の横を通過して押し込まれる。ブラケット２３は、ばね２２が締め付けられるか、または実施形態に示すように遮断体１６が長孔１８の被駆動端２１に当接するまで、工具３と共に挿入方向１４とは反対に遮断体１６を変位させる。
【００１９】
リング３０が、長孔１８の被駆動端２１側の領域の軸線方向位置に設けられている。リング３０の内面は半径方向ストッパ３１を形成しており、ストッパ３１は、遮断体１６の半径方向外側への移動を制限する。ストッパ３１と作動軸線５との半径方向間隔は、遮断体１６がストッパ３１に当接して収容スペース１２に侵入するように寸法決めされている。ブラケット２３によって被駆動端２１側の領域に保持された遮断体１６は、半径方向ストッパ３１により半径方向に逃れることができず、溝１０に侵入した状態に保持され、これにより工具３を工具ホルダ２にロックする（図２）。長孔１８とオーバラップしたロック位置から、リング３０を挿入方向１４とは反対に変位させることができる。ロック解除位置で、リング３０は長孔１８、特に長孔１８の被駆動端２１側の領域とオーバラップしない（図４）（ここで「オーバラップする」とは、軸方向に完全に重なることをいうものとする）。遮断体１６は、被駆動端２１側の領域でも半径方向１９に収容スペース１２から中空スペース３２に逃れることができる。リング３０は、例えば操作スリーブ３３に結合されており、使用者は操作スリーブ３３を挿入方向１４とは反対に変位させ、このことによって、工具３を、ロック状態から解除し挿入方向１４とは反対に取り外すことができる。
【００２０】
リング３０は、ばね２２によって挿入方向１４に押圧されている。例えば、操作スリーブ３３によってリング３０を挿入方向１４とは反対に変位させた場合、ばね２２が締め付けられる。使用者が操作スリーブ３３を解放するとすぐにリング３０の半径方向ストッパ３１はロック位置に戻る。したがって、基本位置では、すなわち、使用者による作用がない場合には、遮断体１６はブラケット２３によって被駆動端２１側の領域に保持されるとともに、半径方向ストッパ３１によって収容スペース１２に侵入した状態に保持される（図２参照）。
【００２１】
例示的に負荷されたばね２２は、被駆動側端部３４でブラケット２３、例えばブラケット２３のカラー２８に結合され、駆動側端部３５でリング３０に結合されている。リング３０は、カラー２８の挿入方向１４反対側に配置される。駆動側に設けられた軸線方向ストッパ３６は挿入方向１４にリング３０の移動を制限する、すなわち、ばね力に抗してリング３０をロック位置に保持する。リング３０と堅固に結合された操作スリーブ３３は、例えば駆動側に設けられた軸線方向ストッパ３６に当接する。挿入方向１４とは反対のブラケット２３の移動は、遮断体１６によって制限されている。さらにブラケット２３は、基本位置で駆動側に設けられた軸線方向ストッパ３７、例えばスナップリングに当接している。
【００２２】
本発明は上記実施形態に限定されない。ボール状の遮断体１６の代わりに、軸線方向に可動な他の遮断体、例えばローラ状の遮断体を使用することもできる。作動軸線５に対して平行に配向された長孔１８が好ましいが、代替的にコイル状に作動軸線５の周囲に延在させてもよい。２つの遮断体１６および２つの長孔１８の代わりに、それぞれ１つまたはそれぞれ３つ以上を設けてもよい。スピンドル１１、ブラケット２３、ばね２２、リング３０および操作スリーブ３３は、スピンドル１１の旋回運動に適合させて円筒状の構成されているが、非回転対称的な形態に構成されていてもよい。
【符号の説明】
【００２３】
１  電動ドライバ
２  工具ホルダ
３  ドライバビット
４  モータ
５  作動軸線
６  ケーシング
７  グリップ
８  システムスイッチ
９  角柱シャフト
１０  環状溝
１１  スピンドル
１２  収容スペース
１４  挿入方向
１５  ロック
１６  遮断体
１７  壁
１８  長孔
１９  半径方向
２０  長穴１８の駆動端
２１  長穴１８の被駆動端
２２  ばね
２３  ブラケット
２４  スリーブ
２５  長孔
２８  カラー
２９  中空スペース
３０  リング
３１  ストッパ
３２  中空スペース
３３  操作スリーブ
【図１】
2012245611.tif 000003
【図２】
2012245611.tif 000004
【図３】
2012245611.tif 000005
【図４】
2012245611.tif 000006